(57)【特許請求の範囲】
【請求項１】
所定のネットワークに接続され、所望のキーワードの入力を行うための端末装置と、
前記端末装置と一体、或いは別体で設けられた電話機と、
前記所定のネットワークに接続され、前記端末装置を介して入力されたキーワードに該当する接続先の電話番号，ＵＲＬアドレス及び電子メールアドレスのうち、少なくとも２つの接続先情報を検索して前記端末装置に返信する検索装置とを有し、
前記端末装置は、前記検索装置から返信された接続先情報をユーザに提示し、ユーザにより選択された接続先情報を前記検索装置へ送信し、前記ＵＲＬアドレスでの接続が選択された場合は、この接続先のＷｅｂ画面を表示手段に表示すると共に、前記検索装置からこのＵＲＬアドレスと共に返信された前記電話番号、及び／又は、前記電子メールアドレスを表示手段に表示し、前記電話番号での接続が選択された場合は、前記検索装置からこの電話番号と共に返信された前記ＵＲＬアドレス、及び／又は、前記電子メールアドレスを表示手段に表示し、前記電子メールアドレスが選択された場合は、表示手段の表示画面上に、前記検索装置で検索された電子メールアドレスを宛先とした電子メール作成画面を表示し、前記検索装置からこの電子メールアドレスと共に返信された前記電話番号、及び／又は、前記ＵＲＬアドレスを表示手段に表示し、
前記検索装置は、前記端末装置から前記選択された接続先情報を受信し、前記電話番号での接続が選択された場合は、この電話番号に対応する接続先との接続を図り、前記ＵＲＬアドレスでの接続が選択された場合は、このＵＲＬアドレスに対応する接続先との接続を図り、前記電子メールアドレスが選択された場合は、この電子メールアドレスを宛先とした電子メールの作成後に、この電子メールを送信すること
を特徴とするアドレス検索接続システム。
【請求項２】
前記端末装置は、前記検索装置で検索された各接続先情報を、表示手段の画面を分割してそれぞれ表示すること
を特徴とする請求項１記載のアドレス検索接続システム。
【請求項３】
前記端末装置は、前記接続先の電話番号，前記ＵＲＬアドレス或いは前記電子メールアドレスが、その接続料金を接続先で負担することを示す電話番号，ＵＲＬアドレス或いは電子メールアドレスである場合、接続料金の負担が接続先であることを示す情報を表示すること
を特徴とする請求項１又は請求項２記載のアドレス検索接続システム。
【請求項４】
前記端末装置は、接続先の検索キーワードを音声入力するための音声入力手段を有すること
を特徴とする請求項１乃至請求項３のうち、いずれか一項記載のアドレス検索接続システム。
【請求項５】
所定のネットワークに接続された端末装置を介して所望のキーワードの入力を行うステップと、
前記所定のネットワークに接続された検索装置において、前記端末装置を介して入力されたキーワードに該当する接続先の電話番号，ＵＲＬアドレス及び電子メールアドレスのうち、少なくとも２つの接続先情報を検索して前記端末装置に返信するステップと、
前記端末装置において、前記検索装置から返信された接続先情報をユーザに提示し、ユーザにより選択された接続先情報を前記検索装置へ送信し、前記ＵＲＬアドレスでの接続が選択された場合は、この接続先のＷｅｂ画面を表示手段に表示すると共に、前記検索装置からこのＵＲＬアドレスと共に返信された前記電話番号、及び／又は、前記電子メールアドレスを表示手段に表示し、前記電話番号での接続が選択された場合は、前記検索装置からこの電話番号と共に返信された前記ＵＲＬアドレス、及び／又は、前記電子メールアドレスを表示手段に表示し、前記電子メールアドレスが選択された場合は、表示手段の表示画面上に、前記検索装置で検索された電子メールアドレスを宛先とした電子メール作成画面を表示し、前記検索装置からこの電子メールアドレスと共に返信された前記電話番号、及び／又は、前記ＵＲＬアドレスを表示手段に表示するステップと、
前記検索装置において、前記端末装置から前記選択された接続先情報を受信し、前記電話番号での接続が選択された場合は、この電話番号に対応する接続先との接続を図り、前記ＵＲＬアドレスでの接続が選択された場合は、このＵＲＬアドレスに対応する接続先との接続を図り、前記電子メールアドレスが選択された場合は、この電子メールアドレスを宛先とした電子メールの作成後に、この電子メールを送信するステップと
を有するアドレス検索接続方法。
【発明の詳細な説明】
【０００１】
【発明の属する技術分野】
本発明は、ネットワークを介した通信により店舗等の接続先の電話番号，ＵＲＬアドレス及び電子メールアドレスを検索するためのアドレス検索接続システムに関する。
【０００２】
【従来の技術】
電話網等のネットワークでは、所望する店舗等の電話番号やホームページアドレスを検索する各種方式が実用化されている。その一例としてインターネットを利用して所望の電話番号の検索を行う場合には、ユーザは自己の端末装置をインターネットを介して電話番号の検索サーバに接続し、エリア、業種、店舗名等のキーワードの入力を行う。検索サーバは、この入力されたキーワードに対応する電話番号を検索しユーザの端末装置に返信する。これにより、所望の接続先の電話番号を検索することができる。
【０００３】
また、インターネットを利用して所望のＵＲＬアドレスの検索を行う場合には、ユーザは自己の端末装置をインターネットを介して検索サーバに接続し、その接続先の業種や店舗名等のキーワードの入力を行う。検索サーバは、この入力されたキーワードに対応するＵＲＬアドレスを検索しユーザの端末装置に返信する。これにより、所望の接続先のＵＲＬアドレスを検索することができる。
【０００４】
【発明が解決しようとする課題】
従来は、電話番号やＵＲＬアドレス等の接続先情報は、通信ネットワーク内で前記検索サーバによって個別に管理されていたが、検索サーバに接続して接続先のアドレスを検索した後、通信或いは接続を行いたいユーザは接続メディア別にそれぞれの手順に応じた検索及びアクセスを再度行う必要があり、アクセス作業が面倒かつ煩雑となる問題があった。
【０００５】
本発明は、上述の課題に鑑みてなされたものであり、各種接続メディア別のアドレスを一括検索できかつ検索と同時に接続できるようなアドレス検索接続システムの提供を目的とする。
【０００６】
【課題を解決するための手段】
本発明に係るアドレス検索接続システムは、上述の課題を解決するための手段として、所定のネットワークに接続され、所望のキーワードの入力を行うための端末装置と、前記端末装置と一体、或いは別体で設けられた電話機と、前記所定のネットワークに接続され、前記端末装置を介して入力されたキーワードに該当する接続先の電話番号，ＵＲＬアドレス及び電子メールアドレスのうち、少なくとも２つの接続先情報を検索して前記端末装置に返信する検索装置とを有する。
【０００７】
そして、前記端末装置は、前記検索装置から返信された接続先情報をユーザに提示し、ユーザにより選択された接続先情報を前記検索装置へ送信し、前記検索装置は、前記端末装置から前記選択された接続先情報を受信し、前記電話番号での接続が選択された場合は、この電話番号に対応する接続先との接続を図り、前記ＵＲＬアドレスでの接続が選択された場合は、このＵＲＬアドレスに対応する接続先との接続を図り、この接続先のＷｅｂ画面を表示手段に表示し、前記電子メールアドレスが選択された場合は、この電子メールアドレスを宛先とした電子メールの作成後に、この電子メールを送信する。
【０００８】
このようなアドレス検索接続システムは、所望の接続先の電話番号，ＵＲＬアドレス及び電子メールアドレスのうち、少なくとも２つの接続先情報を一括検索し、この検索と共に接続を図ることができる。
【０００９】
さらに、前記ＵＲＬアドレスでの接続が選択された場合は、この接続先のＷｅｂ画面を表示手段に表示すると共に、前記検索装置からこのＵＲＬアドレスと共に返信された前記電話番号、及び／又は、前記電子メールアドレスを表示手段に表示し、前記電話番号での接続が選択された場合は、前記検索装置からこの電話番号と共に返信された前記ＵＲＬアドレス、及び／又は、前記電子メールアドレスを表示手段に表示し、前記電子メールアドレスが選択された場合は、表示手段の表示画面上に、前記検索装置で検索された電子メールアドレスを宛先とした電子メール作成画面を表示し、前記検索装置からこの電子メールアドレスと共に返信された前記電話番号、及び／又は、前記ＵＲＬアドレスを表示手段に表示する。
【００１０】
これにより、一括検索された接続先情報のうち、使用されなかった接続先情報を残して表示しておくことができるため、後に他の接続先情報を使用する場合に即座に使用可能とすることができ、利便性の向上を図ることができる。
【００１１】
次に、本発明に係るアドレス検索接続システムは、上述の課題を解決するために、前記端末装置が、前記検索装置で検索された各接続先情報を、表示手段の画面を分割してそれぞれ表示する。
【００１２】
これにより、一括検索された接続先情報を、ユーザが見得る状態で全て表示しておくことができ、ユーザの接続先に対する選択性を向上させることができる。
【００１３】
次に、本発明に係るアドレス検索接続システムは、上述の課題を解決するために、前記端末装置が、接続先の電話番号，ＵＲＬアドレス或いは電子メールアドレスが、その接続料金を接続先で負担することを示す電話番号，ＵＲＬアドレス或いは電子メールアドレスである場合、接続料金の負担が接続先であることを示す情報を表示する。
【００１４】
これは、例えばいわゆるフリーダイヤルのような着信側課金サービスの電話番号の場合は、電話番号の頭に「０１２０」の電話番号を表示することで、その接続料金は接続先が負担することをユーザに対して認識させることができる。また、ＵＲＬアドレス或いは電子メールアドレスの場合は、表示するアドレスの例えば末尾に「Ｆｒｅｅ」等の文字を入れて表示し、その接続料金は接続先が負担することをユーザに対して認識させる。
【００１５】
次に、本発明に係るアドレス検索接続システムは、上述の課題を解決するために、前記端末装置に、接続先の検索キーワードを音声入力するための音声入力手段を設ける。
【００１６】
これにより、ユーザは、接続先の検索キーワードを音声入力することができ、キーボード等を操作する手間を省くことができる。
【００１７】
次に、本発明に係るアドレス検索接続方法は、上述の課題を解決するための手段として、所定のネットワークに接続された端末装置を介して所望のキーワードの入力を行うステップと、前記所定のネットワークに接続された検索装置において、前記端末装置を介して入力されたキーワードに該当する接続先の電話番号，ＵＲＬアドレス及び電子メールアドレスのうち、少なくとも２つの接続先情報を検索して前記端末装置に返信するステップと、前記端末装置において、前記検索装置から返信された接続先情報をユーザに提示し、ユーザにより選択された接続先情報を前記検索装置へ送信し、前記ＵＲＬアドレスでの接続が選択された場合は、この接続先のＷｅｂ画面を表示手段に表示すると共に、前記検索装置からこのＵＲＬアドレスと共に返信された前記電話番号、及び／又は、前記電子メールアドレスを表示手段に表示し、前記電話番号での接続が選択された場合は、前記検索装置からこの電話番号と共に返信された前記ＵＲＬアドレス、及び／又は、前記電子メールアドレスを表示手段に表示し、前記電子メールアドレスが選択された場合は、表示手段の表示画面上に、前記検索装置で検索された電子メールアドレスを宛先とした電子メール作成画面を表示し、前記検索装置からこの電子メールアドレスと共に返信された前記電話番号、及び／又は、前記ＵＲＬアドレスを表示手段に表示するステップと、前記検索装置において、前記端末装置から前記選択された接続先情報を受信し、前記電話番号での接続が選択された場合は、この電話番号に対応する接続先との接続を図り、前記ＵＲＬアドレスでの接続が選択された場合は、このＵＲＬアドレスに対応する接続先との接続を図り、この接続先のＷｅｂ画面を表示手段に表示し、前記電子メールアドレスが選択された場合は、この電子メールアドレスを宛先とした電子メールの作成後に、この電子メールを送信するステップとを有する。
【００１８】
このようなアドレス検索接続方法は、所望の接続先の電話番号，ＵＲＬアドレス及び電子メールアドレスのうち、少なくとも２つの接続先情報を一括検索し、この検索と共に接続を図ることができる。また、一括検索された接続先情報のうち、使用されなかった接続先情報を残して表示しておくことができるため、後に他の接続先情報を使用する場合に即座に使用可能とすることができ、利便性の向上を図ることができる。
【００２１】
【発明の実施の形態】
以下、本発明に係るアドレス検索接続システムの好ましい実施の形態について図面を参照しながら詳細に説明する。なお、本発明に係るアドレス検索接続方法及び記憶媒体は、以下に説明するアドレス検索接続システムの例えばＨＤＤ等に記憶されたコンピュータプログラムを実行することで動作するようになっている。
【００２２】
図１は、本発明の実施の形態となるアドレス検索接続システムのブロック図である。この図１に示すように当該実施の形態のアドレス検索接続システムは、例えばインターネット等の所定のネットワークに接続されたネットワーク側装置１と、電話回線網を介してネットワーク側装置１に接続されたユーザが所有するスクリーン付電話端末２０とで構成されている。
【００２３】
ネットワーク側装置１は、Ｗｅｂ接続機能２、メール接続機能３、電話接続機能４、ユーザ要求振分け機能７、及びユーザが希望する接続先の電話番号，ＵＲＬアドレス，電子メールアドレスの検索等を行う接続先検索サーバ１０とを有している。
【００２４】
このうち、Ｗｅｂ接続機能２は、Ｗｅｂサーバー５に対して接続を行いホームページ等の閲覧を可能とする。また、メール送信機能３はメールサーバ６への接続を行い電子メールの送受信を可能とする。また、電話接続機能４は、接続先の電話端末２５に対して音声通話のための接続を行う。
【００２５】
ユーザ要求振分け機能７は、ユーザにより入力されたキーワードを接続先検索サーバ１０に供給し、このキーワードに基づいて接続先検索サーバ１０により検索された接続先情報をユーザのスクリーン付電話端末２０に返信し、また、ユーザが接続を要求する場合は、ユーザが選択した接続先情報をＷｅｂ接続機能２、電子メール送信機能３或いは電話接続機能４に振り分ける。
【００２６】
接続先検索サーバ１０は、図２に示すように接続先検索機能１１、接続先登録更新機能１２、接続先課金情報収集機能１３、音声認識機能１４を備えている。接続先検索機能１１は、各キーワードに関連付けて接続先が記憶されている接続先管理データベース１５（接続先管理ＤＢ）から、ユーザにより入力されたキーワードに対応する接続先を検索し、アドレス管理データベース１６（アドレス管理ＤＢ）から、この検索した接続先の電話番号，ＵＲＬアドレス，電子メールアドレス、及び課金条件等を検索してユーザに返信するようになっている。
【００２７】
接続先管理ＤＢ１５及びアドレス管理ＤＢ１６に記憶される情報は、例えば当該システムの管理者等の情報提供者の通信端末２６から入力され、接続先登録更新機能１２により登録され、或いは更新されるようになっている。
【００２８】
スクリーン付電話端末２０は、所望の接続先のキーワードの入力や、このキーワードに基づいて検索された電話番号，ＵＲＬアドレス，電子メールアドレスの選択等を行うためのユーザ入力処理機能２１と、スクリーンに対する各種表示制御を行う画面制御機能２２と、ネットワーク側装置１により検索された接続先の電話番号，ＵＲＬアドレス，電子メールアドレス、及び課金条件等をスクリーンに対して表示制御する接続先検索結果画面制御機能２３と、ユーザにより電子メールアドレスでの接続が指定された場合に、接続先の電子メールアドレスを挿入した電子メールの作成画面をスクリーンに対して表示制御する電子メール送信画面制御機能２４と、ネットワーク側装置１で検索する接続先のキーワード等の検索条件を音声入力するための音声入力機能２７とを有している。
【００２９】
次に、このような構成を有する当該実施の形態のアドレス検索接続システムの動作説明をする。
【００３０】
まず、当該アドレス検索接続システムの運用に際して、図２に示す接続先管理ＤＢ１５に多数の接続先情報を記憶させ、アドレス管理ＤＢ１６に、この接続先管理ＤＢ１５に記憶させた接続先に対応する「電話番号」，「ＵＲＬアドレス」，「電子メールアドレス」、及びその接続でユーザ或いは接続先のうち、どちらが接続料金を負担するかを示す「課金条件」を記憶させる必要がある。
【００３１】
当該実施の形態のアドレス検索接続システムでは、図２に示す情報提供者の通信端末２６により、接続先管理ＤＢ１５及びアドレス管理ＤＢ１６の各情報が登録及び更新されるようになっている。
【００３２】
具体的には、この各情報の登録及び更新は、図３のフローチャートに従って行うようになっている。すなわち、まず、ステップＳ１において、情報提供者が通信端末２６を操作しネットワーク側装置１に対して接続先情報等の登録及び（又は）更新を要求すると、図２に示す接続先登録更新機能１２が、この要求を取得してステップＳ２に進む。
【００３３】
ステップＳ２では、接続先登録更新機能１２が、入力された情報を接続先管理ＤＢ１５、及び（又は）アドレス管理ＤＢ１６に対して登録或いは更新してこの図３に示すフローチャートを終了する。
【００３４】
これにより、多数の接続先の接続先情報が記憶された接続先管理ＤＢ１５が構築され、また、この接続先管理ＤＢ１５に記憶された各接続先情報にそれぞれ対応する「電話番号」，「ＵＲＬアドレス」，「電子メールアドレス」、及び「課金条件」が記憶されたアドレス管理ＤＢ１６が構築されることとなる。そして、以下に説明するように当該アドレス検索接続システムの運用が可能となる。
【００３５】
次に、図４のフローチャートを用いて当該実施の形態のアドレス検索接続システムの動作説明をする。
【００３６】
まず、ステップＳ１１において、ユーザは、スクリーン付電話端末２０からネットワークを介してネットワーク側装置１に接続し、例えばキーパットや音声入力機能２７を用いて、エリア、業種、店舗名等の、検索を行う接続先のキーワード入力を行うことで接続先情報検索要求を行う。
【００３７】
次に、ステップＳ１２において、この接続先情報検索要求がなされると、ネットワーク側装置１は、ユーザ要求振分け機能７が、ユーザから入力された接続先のキーワードを接続先検索サーバ１０に供給する。接続先検索サーバ１０は、接続先検索機能１１により、接続先管理ＤＢ１５に記憶されている、ユーザから入力されたキーワードに対応する接続先の情報を検索する。
【００３８】
なお、接続先のキーワードの入力が音声入力機能２７を用いて行われた場合、ネットワーク側装置１は、この音声入力を音声認識機能１４で認識する。そして、ユーザ要求振分け機能７が、この音声認識機能１４により認識された接続先のキーワードを接続先検索サーバ１０に供給し、接続先検索サーバ１０内の接続先検索機能１１が、このキーワードに基づいて、接続先管理ＤＢ１５からキーワードに対応する接続先の情報を検索することとなる。
【００３９】
次に、ステップＳ１３では、接続先検索機能１１により、検索した接続先の一覧表である候補リストを形成し、これをユーザ要求振分け機能７及び接続先検索結果画面制御機能２３を介してユーザのスクリーン付電話端末２０に表示する。これにより、ユーザは、スクリーンに表示される候補リストを見ることで、所望の接続先を特定（選択）することとなる。このユーザにより選択された接続先は、ユーザ要求振分け機能７を介して接続先検索機能１１に伝達される。
【００４０】
次に、ステップＳ１４において、接続先検索機能１１は、この候補リストの中からユーザにより選択された接続先の「電話番号」，「ＵＲＬアドレス」，「電子メールアドレス」、及びその接続でユーザ或いは接続先のうち、どちらが接続料金を負担するかを示す課金条件を、アドレス管理ＤＢ１６から取得し、これをユーザ要求振分け機能７を介してユーザのスクリーン付電話端末２０に表示する。
【００４１】
スクリーン付電話端末２０の画面制御機能２２及び接続先検索結果画面制御機能２３は、この検索した「電話番号」，「ＵＲＬアドレス」及び「電子メールアドレス」を、スクリーンの全表示領域を、例えば３分割してそれぞれ表示制御する。これにより、一つの画面に「電話番号」，「ＵＲＬアドレス」及び「電子メールアドレス」を、一覧的に表示することができるため、ユーザに対して所望の接続形態を選択し易くすることができる。
【００４２】
また、「課金条件」としては、例えばフリーダイヤルのような着信側課金サービスの電話番号の場合は、電話番号の頭に「０１２０」の電話番号を表示することで、その接続料金は接続先が負担することをユーザに対して認識させる。また、ＵＲＬアドレス或いは電子メールアドレスの場合は、表示するアドレスの例えば末尾に「Ｆｒｅｅ」等の文字を入れて表示し、その接続料金は接続先が負担することをユーザに対して認識させる。
【００４３】
次に、ユーザは、このようにスクリーンに表示される「電話番号」，「ＵＲＬアドレス」及び「電子メールアドレス」の中から所望の接続形態を選択する。なお、ユーザは、接続形態に対する「課金条件」が表示されている場合は、これも参考にして接続形態の選択を行う。
【００４４】
この接続形態の選択がなされると、ユーザ要求振分け機能７は、ステップＳ１５において、ユーザが選択した接続形態に対応する「電話番号」，「ＵＲＬアドレス」或いは「電子メールアドレス」を取得してステップＳ１６に進む。
【００４５】
ステップＳ１６では、ユーザ要求振分け機能７が、ユーザにより選択された「電話番号」，「ＵＲＬアドレス」或いは「電子メールアドレス」は、接続先がその接続料金を負担するものであるか否かを判別し、Ｙｅｓの場合はステップＳ１７に進み、Ｎｏの場合はステップＳ２０に進む。
【００４６】
ステップＳ２０では、その接続料金はユーザが負担するものであるため、ユーザ要求振分け機能７により、ユーザにより選択された接続形態で接続を図り当該図４に示すフローチャートを終了する。
【００４７】
具体的には、ユーザにより「電話番号」での接続が選択された場合は、ユーザ要求振分け機能７は電話接続機能４を介して、その電話番号に電話接続を図る。これにより、接続先の電話端末２５とユーザのスクリーン付電話端末２０とが電話接続され通話が可能となる。
【００４８】
また、ユーザにより「ＵＲＬアドレス」での接続が選択された場合は、ユーザ要求振分け機能７は、Ｗｅｂ接続機能２を介してＷｅｂサーバ５に接続を図り、そのＵＲＬアドレスに対応するホームページ等のＷｅｂ画面をユーザのスクリーン付電話端末２０のスクリーン上に表示する。
【００４９】
また、ユーザにより「電子メールアドレス」での接続が選択された場合は、ユーザ要求振分け機能７は、ユーザのスクリーン付電話端末２０の電子メール送信画面制御機能２４を介して、その電子メールアドレスが挿入された電子メール作成画面をスクリーン上に表示する。そして、ユーザにより電子メールが作成されその送信が指定された際に、電子メール送信機能３を介してメールサーバ６に対して電子メールの送信を行う。これにより、ユーザが所望する接続先に対して電子メールが送信されることとなる。
【００５０】
これにより、接続料金をユーザが負担する接続形態で、「電話番号」，「ＵＲＬアドレス」或いは「電子メールアドレス」による接続が図られることとなる。
【００５１】
一方、ステップＳ１７では、ユーザにより選択された接続形態は、接続先がその接続料金を負担するものであるため、接続先課金情報収集機能１３により、接続先がその接続料金を負担する旨を記録してステップＳ１８に進む。
【００５２】
ステップＳ１８では、ユーザ要求振分け機能７により、ステップＳ２０で説明したのと同様にしてユーザにより選択された接続形態で接続先との接続を図りステップＳ１９に進む。
【００５３】
ステップＳ１９では、接続終了後に、接続先課金情報収集機能１３により、接続先に対して、その接続に要した料金を記録し当該図４に示すフローチャートを終了する。
【００５４】
ここで、前述のようにユーザのスクリーン付電話端末２０のスクリーンには、接続先の「電話番号」，「ＵＲＬアドレス」或いは「電子メールアドレス」が分割表示されるが、画面制御機能２２は、ユーザにより所望の接続形態が選択され接続が図られた後にも、選択されなかった接続形態をスクリーン上に表示制御する。
【００５５】
具体的には、「電話番号」，「ＵＲＬアドレス」或いは「電子メールアドレス」のうち、ユーザにより「電話番号」の接続形態が選択された場合は、前述のように接続先に対して電話接続が図られ、接続先との通話を行うことができるが、この際、画面制御機能２２は、例えばスクリーン上の予領域等に「ＵＲＬアドレス」及び「電子メールアドレス」を表示制御する。
【００５６】
また、ユーザにより「ＵＲＬアドレス」の接続形態が選択された場合は、前述のようにＷｅｂサーバ５に対して接続が図られ、Ｗｅｂ画面がスクリーン上に表示されるが、この際、画面制御機能２２は、スクリーン上の予領域等に「電話番号」及び「電子メールアドレス」を表示制御する。
【００５７】
また、ユーザにより「電子メールアドレス」の接続形態が選択された場合は、前述のように電子メールが送信されるが、この際、画面制御機能２２は、スクリーン上の予領域等に「電話番号」及び「ＵＲＬアドレス」を表示制御する。
【００５８】
これにより、ユーザに対して、そのとき選択しなかった接続形態であっても、後にいずれか一方、或いは両方の接続形態を選択することを可能とすることができる。
【００５９】
以上の説明から明らかなように、当該実施の形態のアドレス検索接続システムは、ユーザにより接続先のキーワードが入力されると、これに対応する接続先候補を検索して一覧表示し、この一覧表示した接続先候補の中から所望の接続先が選択されると、この接続先の「電話番号」，「ＵＲＬアドレス」及び「電子メールアドレス」を検索し、これをユーザのスクリーン付電話端末２０に表示制御する。そして、この表示した「電話番号」，「ＵＲＬアドレス」及び「電子メールアドレス」の中からユーザにより選択された接続形態で、接続先に対して接続を図る。
【００６０】
これにより、各接続先の「電話番号」，「ＵＲＬアドレス」及び「電子メールアドレス」をネットワーク上で一括管理することができ、接続先検索時に各接続メディアのいずれか一つあるいは複数での接続を希望するユーザに対してその環境を提供することができる。
【００６１】
また、検索された接続先の「電話番号」，「ＵＲＬアドレス」及び「電子メールアドレス」は、スクリーン上の表示領域が３分割されそれぞれ表示されるようになっているため、ユーザは、一つの画面で３つの接続情報を一覧することができ、所望の接続形態を容易に選択可能とすることができる。
【００６２】
また、接続先が接続料金を負担する接続形態の場合は、これも「電話番号」，「ＵＲＬアドレス」及び「電子メールアドレス」と共に「課金条件」として表示されるようになっているため、ユーザは、この課金条件も参考にして所望の接続形態を選択することができる。
【００６３】
また、ユーザから所望の接続形態が選択され、その接続形態により接続先との接続が図られた後でも、ユーザにより選択されなかった接続形態を残して表示するようになっているため、後に他の接続形態で接続先との接続を図ることが可能となり、当該システムの利便性の向上を図ることができる。
【００６４】
最後に、上述の各実施の形態は本発明の一例である。このため、本発明は上述の各実施の形態に限定されることはない。例えば、上述の実施の形態の説明では、スクリーン付電話端末２０を用いることとしたが、これは、パーソナルコンピュータ装置と、このパーソナルコンピュータ装置に接続された電話端末を用いるようにしてもよい。
【００６５】
また、接続先情報として、「電話番号」，「ＵＲＬアドレス」及び「電子メールアドレス」を検索することとしたが、これは、「電話番号とＵＲＬアドレス」、「電話番号と電子メールアドレス」、或いは「ＵＲＬアドレスと電子メールアドレス」を検索して表示するようにしてもよい。
【００６６】
そして、これら以外であっても、本発明に係る技術的思想を逸脱しない範囲であれば、設計等に応じて種々の変更が可能であることは勿論である。
【００６７】
【発明の効果】
本発明によれば、電話、ＵＲＬ、電子メールの各接続メディアによる接続、通信のためのアドレス情報をネットワーク上で一括管理することができ、接続先検索時に各接続メディアのいずれか一つあるいは複数での通信及び接続を希望するユーザに対してその環境を提供することができる。
【００６８】
これにより、ユーザが一度接続先を検索するだけで、複数の接続形態の中から所望の接続形態を選択することが可能となり、ユーザの利便性を大きく向上させることができる。
【００６９】
また、接続メディアの選択は、異なる接続メディアも含めて任意に何度でも選択可能であるため、ユーザの利便性をさらに大きく向上させることができる。
【図面の簡単な説明】
【図１】本発明の実施の形態となるアドレス検索接続システムの概要を示すブロック図である。
【図２】前記実施の形態のアドレス検索接続システムの内部構成を示すブロック図である。
【図３】前記実施の形態のアドレス検索接続システムにおける接続先情報の登録更新動作を説明するためのフローチャートである。
【図４】前記実施の形態のアドレス検索接続システムにおける接続先検索動作及び接続動作を説明するためのフローチャートである。
【符号の説明】
１  ネットワーク側装置
２  Ｗｅｂ接続機能
３  メール送信機能
４  電話接続機能
５  Ｗｅｂサーバ
６  メールサーバ
７  ユーザ要求振分け機能
１０  接続先検索サーバ
１１  接続先検索機能
１２  接続先登録更新機能
１３  接続先課金情報収集機能
１４  音声認識機能
１５  接続先管理ＤＢ
１６  アドレス管理ＤＢ
２０  スクリーン付電話端末
２１  ユーザ入力処理機能
２２  画面制御機能
２３  接続先検索結果画面制御機能
２４  電子メール送信画面制御機能
２５  接続先電話端末
２６  情報提供者側の通信端末
２７  音声入力機能
【図１】
0004088405.tif 000002
【図２】
0004088405.tif 000003
【図３】
0004088405.tif 000004
【図４】
0004088405.tif 000005